(57)【要約】【課題】減電圧が発生しているか否か判断するための時間を適切に短縮する。【解決手段】所定端子に入力されるＰＷＭの発振制御信号がローレベルのときにトランス２０ｃのスイッチング駆動を行い、ハイレベルのときにトランス２０ｃのスイッチング駆動を停止する制御ＩＣ２０ｂと、トランス２０ｃの出力するバックライト駆動電圧のピーク値をホールドするピークホールド回路２０ｄ２と、当該ピーク値が所定値を下回るとハイレベルの電圧を出力する比較回路２０ｄ３と、比較回路２０ｄ３がハイレベルの出力を所定時間（発振制御信号の１周期に含まれるローレベルの継続時間よりも短い時間（０より大））、継続すると、制御ＩＣ２０ｂに対する発振制御信号の入力を停止するマイコン１６と、発振制御信号がローレベルとなる期間、比較回路２０ｄ３からマイコン１６への出力を遮断する遮断回路２０ｄ４と、を備える。【選択図】図３
2012151022.tif 000002
【特許請求の範囲】
【請求項１】
トランスをスイッチング駆動することにより当該トランスからバックライトを駆動するための駆動電圧を出力させる制御ＩＣ（Integrated Circuit）を備え、
前記制御ＩＣは、第１電圧と第２電圧を周期的に繰り返す制御信号を所定端子に入力されると、前記第１電圧が入力されている間は前記トランスのスイッチング駆動を行い、前記第２電圧が入力されている間は前記トランスのスイッチング駆動を停止する、バックライト駆動回路において、
前記トランスの出力する電圧のピーク値をホールドするピークホールド回路と、
前記ピーク値が所定値を下回ると第３電圧を出力する比較回路と、
前記第３電圧が前記比較回路から所定時間、継続して出力されると前記制御ＩＣの動作を停止させる保護部と、
前記制御信号が前記第２電圧となる期間、前記比較回路から前記保護部へ出力される前記第３電圧を遮断する遮断回路と、
を備え、
前記所定時間は、前記制御信号の１周期に含まれる前記第１電圧の継続時間よりも短い時間とされることを特徴とするバックライト駆動回路。
（ただし、前記所定時間は０より大きいものとする。）
【請求項２】
前記第３電圧は、前記所定端子においては前記第２電圧に相当する電圧であり、
前記比較回路は、前記ピーク値が所定値を下回ると前記第３電圧を前記所定端子へ出力する請求項１に記載のバックライト駆動回路。
【請求項３】
前記遮断回路は、直列に接続されつつ一端に前記制御信号を入力され他端をグランドに接続された２つの抵抗と、ベースを前記２つの抵抗の接続点に接続されコレクタを前記比較回路から前記保護部へ前記第２電圧に相当する電圧を伝送するラインに接続されエミッタをグランドに接続された、ＮＰＮ型のトランジスタと、を備え、
前記トランジスタは、前記制御信号が第１電圧のときはターンオンせず、前記制御信号がローレベルのときはターンオンする請求項１または請求項２に記載のバックライト駆動回路。
【請求項４】
前記保護部は、前記制御ＩＣに対する前記制御信号の入力を停止させることにより前記制御ＩＣの動作を停止させる請求項１〜請求項３の何れか１項に記載のバックライト駆動回路。
【請求項５】
前記ピークホールド回路は、前記トランスの出力に応じた第４電圧をアノードに入力されるダイオードと、前記ダイオードのカソードとグランドとを接続するコンデンサと、前記ダイオードのカソードとグランドとを接続する抵抗と、を備え、前記コンデンサに蓄積する電圧を前記ピーク値として出力し、
前記ダイオードは、前記第４電圧が前記コンデンサの蓄積している電圧よりも高い場合は通電し、前記第４電圧が前記コンデンサの蓄積している電圧よりも低い場合は通電せず、
前記抵抗は、前記コンデンサに蓄えられた電荷を、前記コンデンサの容量と前記抵抗の抵抗値とによって定まる所定の時定数で放電する請求項１〜請求項４の何れか１項に記載のバックライト駆動回路。
【請求項６】
前記バックライトは複数の放電灯を備え、
前記バックライト駆動回路は、前記複数の放電灯をそれぞれに駆動するための複数のトランスを備え、
前記制御ＩＣは、ハイレベルの電圧とローレベルの電圧を周期的に繰り返す制御信号を前記所定端子に入力されると、前記ローレベルの電圧が入力されている間は前記複数のトランスのスイッチング駆動を行い、前記ハイレベルの電圧が入力されている間は前記複数のトランスのスイッチング駆動を停止し、
前記ピークホールド回路は、前記複数のトランスが出力する電圧のピーク値をそれぞれホールドする複数のピークホールド回路により構成され、
前記比較回路は、前記複数のピークホールド回路のホールドするピーク値の少なくとも１つが前記所定値を下回ると前記ハイレベルの電圧を前記所定端子と前記保護部へ出力し、
前記保護部は、前記比較回路から出力されるハイレベルの電圧が、前記制御信号の１周期に含まれるローレベルの継続時間よりも短い時間、継続持続すると、前記制御ＩＣに対する前記制御信号の入力を停止させることにより前記制御ＩＣの動作を停止させ、
前記遮断回路は、直列に接続されつつ一端に前記制御信号を入力され他端をグランドに接続された２つの抵抗と、ベースを前記２つの抵抗の接続点に接続されコレクタを前記比較回路の出力するハイレベルの電圧を前記所定端子と前記保護部へ伝送するラインに接続されエミッタをグランドに接続された、ＮＰＮ型のトランジスタと、を備え
前記トランジスタは、前記制御信号がローレベルのときはターンオンせず、前記制御信号がハイレベルのときはターンオンして前記比較回路から前記保護部へ出力されるハイレベルの電圧を遮断する請求項１に記載のバックライト駆動回路。
（ただし、前記制御信号の１周期に含まれるローレベルの継続時間よりも短い時間は、０より大きいものとする。）
【発明の詳細な説明】
【技術分野】
【０００１】
本発明はバックライト駆動回路に関し、特に、トランスをスイッチング駆動することにより当該トランスからバックライトを駆動するための駆動電圧を出力させる制御ＩＣ（Integrated Circuit）を備え、前記制御ＩＣは、第１電圧と第２電圧を周期的に繰り返す制御信号を所定端子に入力されると、前記第１電圧が入力されている間は前記トランスのスイッチング駆動を行い、前記第２電圧が入力されている間は前記トランスのスイッチング駆動を停止する、バックライト駆動回路に関する。
【背景技術】
【０００２】
インバータ等を備える放電灯点灯装置の多くは、電圧や電流の異常を検知して装置を保護する機能を備えている。ただし、誤検知の可能性があることから誤検知を防止するための各種対策が行われている。
【０００３】
例えば、特許文献１では、バースト調光を行う放電灯点灯装置において、放電管の端電圧を第１比率で分圧した基準電圧と第２比率で分圧した検出電圧とを生成し、検出電圧が基準電圧に対して所定の範囲外にある場合に、負荷が異常状態にあると判定している。当該放電管点灯装置では、バースト調光を行っているときに検出電圧と基準電圧が同一比率で低下するため、バースト調光の不点灯期間を負荷の異常状態と誤検知することが無い。よって、保護回路のタイマー期間（異常検出から実際に保護動作を行うまでの期間）をバースト調光の周期よりも短く設定可能となり、安全で最適な保護動作を行うことができる。
【０００４】
例えば、特許文献２では、バースト調光を行いつつ、閾値よりも大きいランプ電圧を検出するとインバータ出力を低下または停止する放電灯点灯装置において、バースト調光信号がオン期間になったときに第１の検出閾値を選択し、バースト調光信号がオン期間になってから所定の期間後に第２の検出閾値を選択するようにしてある。第１の検出閾値は、バースト調光信号がオン期間になって放電灯が始動・点灯するときに印加される高電圧を異常電圧と検出しないように決定され、第２の検出閾値は、バースト調光信号がオン期間になって所定期間が経過後に安定して出力される電圧に基づいて決定される。よって、誤検出を防止しつつ確実かつ速やかに異常検出することができる。
【０００５】
例えば、特許文献３では、インバータ電源において、所定の閾値と比較することによりインバータ出力が正常か異常かを示す状態信号を出力するコンパレータと、当該コンパレータの状態信号を入力されており、インバータ電源を駆動するための駆動パルスもしくはバースト信号をトリガとして当該コンパレータの状態信号を出力するフリップフロップと、フリップフロップの出力する状態信号が異常を示すときにインバータ電源を停止するアラーム回路とを備えている。よって、インバータ電源の出力の異常を高精度で安定して検出できる。
【０００６】
例えば、特許文献４では、バースト調光を行う放電灯点灯装置において、消灯期間に突入した後の第２期間において、比較手段による印加電圧のピーク値と基準値との比較を強制的に停止することによって、消灯期間における印加電圧の低下を短絡による電圧低下と誤検出することを防止している。
【先行技術文献】
【特許文献】
【０００７】
【特許文献１】特開２００９−０４８８３６号公報
【特許文献２】特開２００８−２０４７１７号公報
【特許文献３】特開２００８−１６６２２６号公報
【特許文献４】特開２００７−１７９９２８号公報
【発明の概要】
【発明が解決しようとする課題】
【０００８】
上述した従来の技術では、減電圧等の異常が発生しているか否かの判断を異常電圧を所定回数以上検出したか否かに基づいて判断している。一方で、減電圧が発生しているか否かの判断には減電圧が所定時間、継続して検出されたか否かに基づいて行う手法もある。この所定時間の設定は難しく、例えば、減電圧を検出した瞬間にバックライト駆動電圧を停止するようにすると、ノイズ等の誤作動でバックライトが消えてしまう可能性があるし、長すぎると短絡による破損が復旧不可能なものになる可能性がある。さらに、バックライトは、通常、点灯と不点灯とを１００〜２００Ｈｚの周期で繰り返しているため、所定時間の設定を短くすると、不点灯期間における減電圧を検出してしまう畏れもある。
【０００９】
本発明は、前記課題に鑑みてなされたもので、減電圧が発生しているか否かの判断を減電圧が所定時間、継続して検出されたか否かに基づいて行う場合に、当該所定時間を適切に短縮することが可能なスイッチング電源回路の提供を目的とする。
【課題を解決するための手段】
【００１０】
＜請求項１＞
前記課題を解決するために、本発明にかかるバックライト駆動回路は、トランスをスイッチング駆動することにより当該トランスからバックライトを駆動するための駆動電圧を出力させる制御ＩＣ（Integrated Circuit）を備え、前記制御ＩＣは、第１電圧と第２電圧を周期的に繰り返す制御信号を所定端子に入力されると、前記第１電圧が入力されている間は前記トランスのスイッチング駆動を行い、前記第２電圧が入力されている間は前記トランスのスイッチング駆動を停止する、バックライト駆動回路において、前記トランスの出力する電圧のピーク値をホールドするピークホールド回路と、前記ピーク値が所定値を下回ると第３電圧を出力する比較回路と、前記第３電圧が前記比較回路から所定時間、継続して出力されると前記制御ＩＣの動作を停止させる保護部と、前記制御信号が前記第２電圧となる期間、前記比較回路から前記保護部へ出力される前記第３電圧を遮断する遮断回路と、を備え、前記所定時間は、前記制御信号の１周期に含まれる前記第１電圧の継続時間よりも短い時間とされる構成とされる。（ただし、前記所定時間は０より大きいものとする。）
【００１１】
前記構成において、前記制御ＩＣの所定端子に第１電圧が入力されると、前記制御ＩＣが前記トランスのスイッチング駆動を行い、前記トランスは前記バックライトを駆動するための駆動電圧を出力すし、その結果、前記バックライトは点灯する。一方、前記制御ＩＣの所定端子に第２電圧が入力されると、前記制御ＩＣが前記トランスのスイッチング駆動を停止し、前記トランスは前記バックライトを駆動するための駆動電圧を出力せず、その結果、前記バックライトは点灯しない。
【００１２】
前記ピークホールド回路はトランスが出力する電圧のピーク値をホールドする。すなわち、ピークホールド回路は、トランスが出力する電圧の一定期間内におけるピーク値をホールドして出力することができる。当該一定期間は、前記スイッチング制御によって前記駆動電圧に発生する通常の変動（ノイズ等）に追随しにくく、且つ、前記駆動電圧に発生する異常な変動（短絡やスパーク等に起因する変動）には追随可能なように、前記ピークホールド回路の構成素子の選択によって適切に決定される。
【００１３】
前記比較回路は、ピークホールド回路のホールドしたピーク値を取得して所定値と比較し、当該ピーク値が所定値を下回ると第３電圧を前記所定端子へ入力する。なお、当該ピーク値が所定値以上のときは、前記比較回路は前記所定端子に対する出力は特に行わない。所定値は、前記トランスの出力する正常電圧の最小値（もしくは前記トランスの出力が低下したときに異常電圧とみなされる電圧の最大値）であって、例えば、前記比較回路に入力される参照電圧によって規定することができる。
【００１４】
前記保護部は、前記比較回路の出力する前記第３電圧監視しており、前記比較回路からの前記第３電圧の出力が、前記制御信号の１周期に含まれる前記第１電圧の継続時間よりも短い時間、持続すると、前記制御ＩＣの動作を停止させる。（ただし、前記所定時間は０より大きいものとする。）
【００１５】
前記遮断回路は、前記制御信号が前記第２電圧となる期間、すなわち、前記バックライトへ前記駆動電圧が出力されず、前記バックライトが不点灯となる期間において、前記比較回路から前記保護部へ出力される前記第３電圧を遮断する。前記遮断回路には、少なくとも当該制御信号における前記第１電圧と前記第２電圧との切り換わりタイミングを判別する基となる信号として前記制御信号もしくはこれに準じた信号が入力される。前記遮断回路は、前記制御信号が前記第２電圧となる期間、前記保護部の監視を無効化し、仮に、この期間中に前記比較回路が前記第３電圧を出力しても前記保護部がこれを検知しないようにする。すなわち、前記制御信号が前記第２電圧となる期間に、前記トランスの出力する電圧のピーク値が前記所定値を下回っても、前記保護部は前記制御ＩＣを停止しない。
【００１６】
以上の構成によれば、前記制御信号が前記第１電圧となる期間に、前記トランスの出力電圧が何らかの要因で低下して前記ピークホールド回路のホールドするピーク値が前記所定値を下回ると、前記保護部は前記比較回路の出力する前記第３電圧を検知する。すると、前記保護部は、前記第３電圧の入力が前記制御信号の１周期に含まれる前記第１電圧の継続時間よりも短い時間、持続すると、前記制御ＩＣの動作を停止させる。
【００１７】
一方、前記制御信号が前記第２電圧となる期間に、前記トランスの出力電圧が何らかの要因で低下して前記ピークホールド回路のホールドするピーク値が前記所定値を下回っても、前記保護部は前記比較回路の出力する前記第３電圧を検知しない。従って、前記制御信号が前記第２電圧となる期間に、前記保護部が前記制御ＩＣの動作を停止させることはない。
【００１８】
＜請求項２＞
本発明の選択的な一態様は、前記第３電圧は、前記所定端子においては前記第２電圧に相当する電圧であり、前記比較回路は、前記ピーク値が所定値を下回ると前記第３電圧を前記所定端子へ出力する構成とされる。
当該構成においては、前記制御信号が前記第１電圧となる期間に、前記制御信号として前記第１電圧が前記所定端子に入力されていても、前記ピーク値が所定値を下回ると前記所定端子には前記第３電圧が代わりに入力される。前記第３電圧は前記所定端子に入力されたときに前記制御ＩＣに対して前記第２電圧と同様の作用を奏する電圧である。前記第３電圧を前記所定端子に入力された前記制御ＩＣは、スイッチング駆動を停止し、前記トランスの出力する駆動電圧は停止される。
一方、前記制御信号が前記第１電圧となる期間、仮に前記ピーク値が所定値を下回っても、そもそも前記所定端子には第２電圧が入力されており、前記制御ＩＣによる前記トランスのスイッチング駆動は停止しているため、特に影響しない。
すなわち、前記制御信号が前記第１電圧となる期間に、前記トランスの出力する駆動電圧が何らかの要因で低下すると、バックライト駆動回路は迅速に停止され、当該バックライト駆動回路および当該バックライト駆動回路によって駆動されるバックライトに対する影響を最小限に止めることができる。さらに、その後、前記比較回路からの前記第３電圧の出力が、前記制御信号の１周期に含まれる前記第１電圧の継続時間よりも短い時間、持続すると、前記保護部が前記制御ＩＣの動作を停止させる。
以上のように、前記制御信号が前記第１電圧となる期間に減電圧が発生すると、瞬間的に前記制御ＩＣを停止させ、前記第３電圧が一定時間、継続したことを確認してから制御ＩＣを完全停止させるという２段構えの停止動作を、高速・確実に実現することができる。
【００１９】
＜請求項３＞
前記遮断回路の選択的な一態様は、直列に接続されつつ一端に前記制御信号を入力され他端をグランドに接続された２つの抵抗と、ベースを前記２つの抵抗の接続点に接続されコレクタを前記比較回路から前記保護部へ前記第２電圧に相当する電圧を伝送するラインに接続されエミッタをグランドに接続された、ＮＰＮ型のトランジスタと、を備え、前記トランジスタは、前記制御信号が第１電圧のときはターンオンせず、前記制御信号がローレベルのときはターンオンする構成とされる。
当該態様によれば、簡易な回路構成で前記遮断回路を実現することができる。
【００２０】
＜請求項４＞
前記保護部の選択的な一態様は、前記制御ＩＣの動作を停止させるにあたり、前記制御ＩＣに対する前記制御信号の入力を停止させる構成とされる。
当該態様によれば、簡易且つ効果的に前記制御ＩＣの動作（前記駆動電圧の出力）を停止することが出来る。
【００２１】
＜請求項５＞
前記ピークホールド回路の選択的な一態様は、前記トランスの出力に応じた第４電圧をアノードに入力されるダイオードと、前記ダイオードのカソードとグランドとを接続するコンデンサと、前記ダイオードのカソードとグランドとを接続する抵抗と、を備える構成とされる。
当該態様によれば、前記ダイオードは、前記第４電圧が前記コンデンサの蓄積している電圧よりも高い場合は通電し、前記第４電圧が前記コンデンサの蓄積している電圧よりも低い場合は通電せず、前記抵抗は、前記コンデンサに蓄えられた電荷を、前記コンデンサの容量と前記抵抗の抵抗値とによって定まる所定の時定数で放電し、前記ピークホールド回路は前記コンデンサに蓄積する電圧を前記ピーク値として出力することとなる。
当該態様によれば、簡易な回路構成で前記ピークホールド回路を実現することができる。
【００２２】
＜請求項６＞
本発明の選択的な一態様は、
前記バックライトは複数の放電灯を備え、
前記バックライト駆動回路は、前記複数の放電灯をそれぞれに駆動するための複数のトランスを備え、
前記制御ＩＣは、ハイレベルの電圧とローレベルの電圧を周期的に繰り返す制御信号を前記所定端子に入力されると、前記ローレベルの電圧が入力されている間は前記複数のトランスのスイッチング駆動を行い、前記ハイレベルの電圧が入力されている間は前記複数のトランスのスイッチング駆動を停止し、
前記ピークホールド回路は、前記複数のトランスが出力する電圧のピーク値をそれぞれホールドする複数のピークホールド回路により構成され、
前記比較回路は、前記複数のピークホールド回路のホールドするピーク値の少なくとも１つが前記所定値を下回ると前記ハイレベルの電圧を前記所定端子と前記保護部へ出力し、
前記保護部は、前記比較回路から出力されるハイレベルの電圧が、前記制御信号の１周期に含まれるローレベルの継続時間よりも短い時間、持続すると、前記制御ＩＣに対する前記制御信号の入力を停止させることにより前記制御ＩＣの動作を停止させ、
前記遮断回路は、直列に接続されつつ一端に前記制御信号を入力され他端をグランドに接続された２つの抵抗と、ベースを前記２つの抵抗の接続点に接続されコレクタを前記比較回路の出力するハイレベルの電圧を前記所定端子と前記保護部へ伝送するラインに接続されエミッタをグランドに接続された、ＮＰＮ型のトランジスタと、を備え
前記トランジスタは、前記制御信号がローレベルのときはターンオンせず、前記制御信号がハイレベルのときはターンオンして前記比較回路から前記保護部へ出力されるハイレベルの電圧を遮断する構成とされる。
（ただし、前記制御信号の１周期に含まれるローレベルの継続時間よりも短い時間は、０より大きいものとする。）
【発明の効果】
【００２３】
以上説明したように本発明によれば、制御ＩＣを停止するまでに要する時間を、前記制御信号の１周期に含まれる前記第１電圧の継続時間よりも短い時間（０より大）とすることが可能なバックライト駆動回路を提供することができる。
請求項２にかかる発明によれば、瞬間的な制御ＩＣの停止と、第３電圧が一定時間、継続したことを確認してからの制御ＩＣの完全停止とを、高速・確実に実現することができる。
請求項３にかかる発明によれば、簡易な回路構成で遮断回路を実現することができる。
請求項４にかかる発明によれば、簡易且つ効果的に制御ＩＣの動作（駆動電圧の出力）を停止することが出来る。
請求項５にかかる発明によれば、簡易な回路構成でピークホールド回路を実現することができる。
請求項６にかかる発明によれば、請求項１〜請求項５の各発明と同様の作用を奏する。
【図面の簡単な説明】
【００２４】
【図１】液晶テレビジョンの電気的構成を示すブロック図である。
【図２】バックライト駆動回路の概略構成を示すブロック図である。
【図３】バックライト駆動回路の具体的な構成の一例を示す回路図である。
【図４】２次電圧検出回路やフィードバック回路の具体的な構成例を示す回路図である。
【図５】保護処理の流れを示すフローチャートである。
【図６】バックライト駆動回路の動作を示すタイミングチャートである。
【図７】点灯期間中に減電圧が発生したときのバックライト駆動回路の動作を示すタイミングチャートである。
【図８】不点灯期間中に減電圧が発生したときのバックライト駆動回路の動作を示すタイミングチャートである。
【発明を実施するための形態】
【００２５】
以下、下記の順序に従って本発明の実施形態を説明する。
（１）本実施形態の構成：
（２）バックライト駆動回路の構成・作用：
（３）保護処理：
（４）まとめ：
【００２６】
（１）本実施形態の構成： 
図１は、本実施形態にかかる液晶表示装置の電気的構成を示すブロック図である。同図において、液晶表示装置１００は、映像処理部１０、液晶駆動回路１２、液晶パネル１４、マイコン１６、電源回路１８、バックライト駆動回路２０、バックライト２２、操作部２４、を備えている。
【００２７】
映像処理部１０は、映像ソース（例えば、内蔵もしくは外付けのチューナー、外部入力端子に接続された再生装置、等）から入力される映像信号に対して所定の映像処理を行って液晶駆動回路１２に出力する。
液晶駆動回路１２は、映像処理部１０から入力された映像信号に基づいて液晶パネル１４を構成する各液晶セルを駆動する。
液晶パネル１４は、液晶駆動回路１２によって各液晶セルを駆動されつつバックライト２２に背面から光を照射されることにより画面に映像を表示する。
【００２８】
マイコン１６は、液晶表示装置１００の制御主体であり、例えば、バックライト駆動回路２０を構成する後述の制御ＩＣ（Integrated Circuit）２０ｂに対して発振制御信号を出力したり、バックライト駆動回路２０やバックライト２２における異常を検出して装置の保護処理を行ったりする。マイコン１６は、所定の通信バスを介して液晶表示装置１００の各部（映像処理部１０、液晶駆動回路１２等）と通信可能に接続されており、映像表示にかかる各種の制御処理を行う。またマイコン１６には、操作部２４が接続されており、操作部２４に対してユーザーの行う操作に応じた各種の処理等、も実行する。
【００２９】
操作部２４は、ユーザーの操作を受付けるユーザーインターフェースとして機能し、ユーザーの行った操作に応じた信号（例えば、電圧信号やパルス信号等）を生成してマイコン１６に入力する。ユーザーは、操作部２４を介して、例えばマイコン１６から出力される上述した発振制御信号を調整することが可能であり、これにより画面輝度を調整することできる。
【００３０】
電源回路１８は、外部電源（例えば、商用の交流電源）から供給される電源電圧に基づいて生成した各種の電源電圧を液晶表示装置１００の各部（例えば、映像処理部１０，液晶駆動回路１２，バックライト駆動回路２０，マイコン１６等）に供給する。
【００３１】
バックライト駆動回路２０は、電源回路１８から供給される電源電圧に基づいてバックライトを点灯させるためのバックライト駆動電圧を生成してバックライト２２に出力する。
バックライト２２は、バックライト駆動回路２０から供給されるバックライト駆動電圧によって点灯され、液晶パネル１４の背面から光を照射する光源として機能する。
【００３２】
（２）バックライト駆動回路の構成・作用： 
図２はバックライト駆動回路の概略構成を示すブロック図であり、図３は減電圧検出回路の構成を示す要部回路図であり、図４は２次電圧検出回路やフィードバック回路の具体的な構成の一例を示す回路図である。なお、図２〜４や以降の説明においては、バックライト２２が４本のＵ字型の蛍光管（蛍光管２２ａ，２２ｂ，２２ｃ，２２ｄ）を備える場合を例にとって説明するが、むろん、蛍光管は４本に限る必要はないし、蛍光管の形もＵ字型に限る必要も無いし、蛍光管に限らずその他の放電灯であってもよい。また、各蛍光管を点灯するために必要となる回路素子も必要に応じて適宜に増減される。
【００３３】
＜バックライト駆動回路の構成＞
図２に示すように、バックライト駆動回路２０は、スイッチ回路２０ａ、制御ＩＣ２０ｂ、トランス２０ｃ１，２０ｃ２，２０ｃ３，２０ｃ４（以下、これらトランスをまとめて指す場合は、トランス２０ｃと記載する）、減電圧検出回路２０ｄ、フィードバック回路２０ｅ１，２０ｅ２，２０ｅ３，２０ｅ４（以下、これらフィードバック回路をまとめて指す場合は、フィードバック回路２０ｅと記載する）、を備えている。
【００３４】
＜調光制御＞
制御ＩＣ２０ｂは、マイコン１６の出力する発振制御信号に基づいて、バックライトに対するバックライト駆動電圧の出力をコントロールする。
【００３５】
具体的には、制御ＩＣ２０ｂは発振制御端子２０ｂ１を備えており、発振制御端子２０ｂ１に対してマイコン１６から発振制御信号が入力されている。発振制御信号は、バックライトの点灯を指示する電圧と不点灯を指示する電圧を周期的に組み合わせた信号である。制御ＩＣ２０ｂは、バックライトの点灯を指示する信号を発振制御端子２０ｂ１に入力されると、スイッチ回路２０ａのスイッチ制御を実行し、バックライトの不点灯を指示する信号を発振制御端子２０ｂ１に入力されると、スイッチ回路２０ａのスイッチ制御を停止する。
【００３６】
より具体的には、発振制御信号は、例えばローレベルの電圧とハイレベルの電圧が周期的に現れるＰＷＭ信号であり、本実施形態では、ＰＷＭ信号の１周期においてローレベルの電圧信号が占める割合が点灯割合（オンデューティー）を示している。制御ＩＣ２０ｂは、ローレベルの電圧信号を発振制御端子２０ｂ１に入力されると、後述するＦＥＴのゲート端子にゲート駆動信号を入力し、ハイレベルの電圧信号を発振制御端子２０ｂ１に入力されると、後述するＦＥＴのゲート端子にゲート駆動信号を入力しない。本実施形態においては、発振制御信号にいてバックライトの点灯を指示するローレベルの電圧が第１電圧を構成し、バックライトの不点灯を指示するハイレベルの電圧が第２電圧を構成する。
ゲート駆動信号は、後述するＦＥＴのゲート端子をスイッチング駆動するための信号であり、発振制御信号よりも高周期でハイレベルの電圧とローレベルの電圧が周期的に現れるＰＷＭ信号である。例えば、発振制御信号のＰＷＭの周波数は１００〜２００Ｈｚとすると、ゲート駆動信号のＰＷＭの周波数は４０ｋＨｚとすることができる。
【００３７】
また、制御ＩＣ２０ｂの具体例として、例えばＴＥＸＡＳ  ＩＮＳＴＲＵＭＥＮＴＳ社のＴＬ４９４を採用可能であり、当該ＴＬ４９４においては、ＤＴＣ（Dead-Time Control）端子が発振制御端子２０ｂ１を構成する。むろん、制御ＩＣ２０ｂは集積回路である必要はなく、制御ＩＣ２０ｂと同等の機能を備えるアナログ回路やデジタル回路で構成することもできる。
なお、本実施形態においては、発振制御端子２０ｂ１が所定端子を構成する。
【００３８】
＜バックライト駆動電圧の生成＞
スイッチ回路２０ａは、各トランス２０ｃの一次巻線に対する電源電圧Ｖｂの印加のオンオフ切換えを行うための手段を備え、制御ＩＣ２０ｂからゲート駆動信号を入力されているときは電源電圧Ｖｂをオンオフ切換えしつつ各トランス２０ｃの一次巻線に印加し、制御ＩＣ２０ｂからゲート駆動信号を入力されていないときは電源電圧Ｖｂを各トランス２０ｃの一次巻線に印加しない。
【００３９】
具体的には、スイッチ回路２０ａは、例えば電源電圧Ｖｂを各トランス２０ｃの一次巻線へ供給するための供給ライン上に配置されたＦＥＴを備えており、当該ＦＥＴのゲートにはゲート駆動信号が制御ＩＣ２０ｂから入力されるようになっている。
当該ＦＥＴは、ゲート駆動信号がハイレベルの電圧のときはターンオンして電源電圧Ｖｂを各トランス２０ｃの一次巻線に印加し、ゲート駆動信号がローレベルの電圧のときはターンオフして電源電圧Ｖｂを各トランス２０ｃの一次巻線に印加しない。
【００４０】
従って、制御ＩＣ２０ｂからゲート駆動信号が入力されているときは、ＦＥＴのオンオフがゲート駆動信号のＰＷＭ周期で切り換わることによりトランス２０ｃの一次巻線に流れる電流を周期的に正負反転させるスイッチング駆動を行う。その結果、トランス２０ｃの２次巻線にはゲート駆動信号のオン割合に応じた所定電圧が発生し、バックライト２２が点灯される。一方、制御ＩＣ２０ｂからゲート駆動信号が入力されていないときは、ＦＥＴがオフすることによりトランス２０ｃの一次巻線には電流が流れない。その結果、トランス２０ｃの２次巻線には電圧が発生せず、バックライト２２は消灯する。
【００４１】
なお、バックライト駆動回路２０は、図２に示すように、蛍光管の数に応じた数のトランス２０ｃその他バックライト駆動電圧を生成するために必要な回路を備えており、蛍光管の数に応じた数のバックライト駆動電圧を生成して各蛍光管に供給する。
【００４２】
＜フィードバック制御＞
フィードバック回路２０ｅは、以上のようにしてバックライト２２へ供給されるバックライト駆動電圧を、制御ＩＣ２０ｂやマイコン１６にフィードバックしている。制御ＩＣ２０ｂは、フィードバック回路２０ｅからフィードバックされるフィードバック信号に基づいて、バックライト駆動電圧が一定となるようにゲート駆動信号のＰＷＭ周波数を調整する。マイコン１６は、フィードバック回路２０ｅからフィードバックされるフィードバック信号に基づいて、バックライト駆動電圧が一定となるように発振制御信号のオン割合を調整する。
【００４３】
具体的には、フィードバック回路２０ｅは、図４に示す回路構成とすることができる。なおフィードバック回路２０ｅ１〜２０ｅ４は全て同じ回路構成としてあるため、図４には、フィードバック回路２０ｅ１を例示してある。同図に示すフィードバック回路２０ｅは、トランス２０ｃ１の出力するバックライト駆動電圧が一定値を超えると制御ＩＣ２０ｂやマイコン１６にフィードバック信号を出力するように構成されている。
【００４４】
＜減電圧検出回路＞
減電圧検出回路２０ｄは、バックライト駆動電圧の減電圧を検出する回路であり、図３に示すように、２次電圧検出回路２０ｄ１ａ，２０ｄ１ｂ，２０ｄ１ｃ，２０ｄ１ｄ（以下、これら２次電圧検出回路をまとめて指す場合は、単に２次電圧検出回路２０ｄ１と記載する）、ピークホールド回路２０ｄ２ａ，２０ｄ２ｂ，２０ｄ２ｃ，２０ｄ２ｄ（以下、これらピークホールド回路をまとめて指す場合は、ピークホールド回路２０ｄ２と記載する）、比較回路２０ｄ３、遮断回路２０ｄ４、を備えている。
【００４５】
＜２次電圧検出回路＞
２次電圧検出回路２０ｄ１は、バックライト駆動電圧の交流を直流に変換しつつ所定割合に減圧して出力する。
図４には、２次電圧検出回路の一例を示してある。なお、２次電圧検出回路２０ｄ１ａ，２０ｄ１ｂ，２０ｄ１ｃ，２０ｄ１ｄは全て同じ構成としてあるため図４には２次電圧検出回路２０ｄ１ａを例示してある。図４において、２次電圧検出回路２０ｄ１ａは、交流を一定割合に減圧しつつ直流の電圧値に変換するコンデンサ分圧回路と、直流の高電圧を一定割合に減圧して直流の電圧値に変換する抵抗分圧回路と、を備えており、高圧の交流であるバックライト駆動電圧を直流電圧に変換しつつ後述のピークホールド回路や比較回路に適合するレベルに分圧している。２次電圧検出回路２０ｄ１ａは、このようにして生成したバックライト駆動電圧の分圧をピークホールド回路２０ｄ２ａへ出力する。
【００４６】
＜ピークホールド回路＞
ピークホールド回路２０ｄ２は、連続して入力されるアナログ信号の中のピーク値（最大振幅電圧）を見つけて当該ピーク値を保持する回路である。
図３には、ピークホールド回路の一例を示してある。なお、ピークホールド回路２０ｄ２ｂ、２０ｄ２ｃ、２０ｄ２ｄは全て同じ回路構成としてあるため、以下では、ピークホールド回路２０ｄ２ａを例にとって説明する。同図において、ピークホールド回路２０ｄ２ａは、２次電圧検出回路２０ｄ１ａの出力する分圧をアノードに入力され、カソードを比較回路２０ｄ３に接続されたダイオードＤ１と、ダイオードＤ１のカソードとグランドとを接続するコンデンサＣ１と、ダイオードＤ１のカソードとグランドとを接続する抵抗Ｒ１と、を備えている。
【００４７】
ダイオードＤ１は、２次電圧検出回路２０ｄ１ａの出力する分圧がコンデンサＣ１の蓄積している電圧よりも高い場合は通電し、コンデンサの電圧を２次電圧検出回路２０ｄ１の出力する分圧（正確には、ダイオードの順方向電圧降下だけ低い電圧）に等しくする。一方、ダイオードＤ１は、２次電圧検出回路２０ｄ１ａの出力する分圧がコンデンサＣ１の蓄積している電圧よりも低い場合は通電せず、２次電圧検出回路２０ｄ１ａの出力する分圧はコンデンサＣ１に蓄積している電圧に影響を与えない。本実施形態においては、２次電圧検出回路２０ｄ１の出力する分圧が第４電圧を構成する。
【００４８】
抵抗Ｒ１は、コンデンサに蓄えられた電荷を、コンデンサＣ１の容量と抵抗Ｒ１の抵抗値とによって定まる所定の時定数で放電する。すなわち、ピークホールド回路２０ｄ２ａは、コンデンサＣ１と抵抗Ｒ１の作用により定まる所定の時定数に基づいて定まる時間だけ２次電圧検出回路２０ｄ１の出力する分圧のピーク値を保持し、当該ピーク値をピークホールド電圧Ｖｐとして比較回路２０ｄ３に出力する。
【００４９】
なお、ピークホールド回路２０ｄ２は上述したように蛍光管毎に設けられているため、各ピークホールド回路２０ｄ２ａ〜２０ｄ２ｄは、各々の備えるコンデンサＣ１に蓄積される電圧をピークホールド電圧Ｖｐ１〜Ｖｐ４として比較回路２０ｄ３に出力することになる。
【００５０】
＜比較回路＞
比較回路２０ｄ３は、ピークホールド電圧Ｖｐ１〜Ｖｐ４のそれぞれを所定の閾値と比較し、ピークホールド電圧Ｖｐ１〜Ｖｐ４の少なくとも１つが所定の閾値を下回ると減電圧を示す信号を出力する。（以下、これらピークホールド電圧をまとめて指す場合は、ピークホールド電圧Ｖｐと記載する）
図３には、比較回路２０ｄ３の一例を示してある。同図において、比較回路２０ｄ３は、４つのコンパレータＣｏｍｐ１〜Ｃｏｍｐ４と、抵抗Ｒ２，Ｒ３と、ダイオードＤ１１〜１４と、を備えている。なお、図には、コンパレータＣｏｍｐ１〜Ｃｏｍｐ４を１チップ化したものを示してある。
【００５１】
抵抗Ｒ２，Ｒ３は、所定の定電圧源とグランドとの間を直列接続しており、Ｒ２，Ｒ３の接続点に発生する電圧が前記所定の閾値を示す参照電圧Ｖｒｅｆとなる。参照電圧Ｖｒｅｆは、抵抗Ｒ２，Ｒ３の抵抗値と所定の定電圧源の電圧値を適切に組合せることにより、正常とみなしうるバックライト駆動電圧がトランス２０ｃから出力されているときにピークホールド回路２０ｄ２から出力される電圧の最小値に相当する電圧となるよう調整されている。もしくは、減電圧とみなしうるバックライト駆動電圧がトランス２０ｃから出力されているときにピークホールド回路２０ｄ２から出力される電圧の最大値に相当する電圧となるよう調整されている。
【００５２】
各コンパレータは、各ピークホールド値と参照電圧Ｖｒｅｆとをそれぞれ比較し、ピークホールド値が参照電圧Ｖｅｆ以上のときは減電圧でないことを示すローレベルの電圧を出力し、ピークホールド値が参照電圧Ｖｒｅｆを下回ると減電圧を示す信号としてハイレベルの電圧を出力する。
すなわち、コンパレータＣｏｍｐ１は、ピークホールド電圧Ｖｐ１が参照電圧Ｖｒｅｆを下回るとハイレベルの電圧を出力し、コンパレータＣｏｍｐ２は、ピークホールド電圧Ｖｐ２が参照電圧Ｖｒｅｆを下回るとハイレベルの電圧を出力し、コンパレータＣｏｍｐ３、はピークホールド電圧Ｖｐ３が参照電圧Ｖｒｅｆを下回るとハイレベルの電圧を出力し、コンパレータＣｏｍｐ４は、ピークホールド電圧Ｖｐ４が参照電圧Ｖｒｅｆを下回るとハイレベルの電圧を出力する。
【００５３】
各コンパレータの出力端子は、それぞれダイオードＤ１１〜Ｄ１４のアノードに接続されており、ダイオードＤ１１〜Ｄ１４のカソードは１つにまとめて後段に接続されている。
すなわち、コンパレータＣｏｍｐ１〜Ｃｏｍｐ４の少なくとも１つがハイレベルの電圧を出力した場合は、比較回路２０ｄ３全体としてはハイレベルの電圧を後段に出力し、コンパレータＣｏｍｐ１〜Ｃｏｍｐ４のいずれもハイレベルの電圧を出力しない場合は（いずれもローレベルの電圧を出力する場合は）、比較回路２０ｄ３全体としてはローレベルの電圧を後段に出力する。本実施形態においては、比較回路２０ｄ３の出力する減電圧を示すハイレベルの電圧が第３電圧を構成する。
【００５４】
＜比較出力の入力先＞
比較回路２０ｄ３の出力は、制御ＩＣ２０ｂの発振制御端子２０ｂ１に入力されている。上述したように、発振制御端子２０ｂ１には、ハイレベルの電圧信号とローレベルの電圧信号を組み合わせた発振制御信号がマイコン１６から入力されている。従って、バックライト駆動電圧が正常である場合、比較回路２０ｄ３がローレベルの電圧信号を出力するため、発振制御信号はマイコン１６の出力ハイレベルとローレベルの組合せで発振制御端子２０ｂ１にそのまま入力される。
一方、バックライト駆動電圧が何らかの理由によって参照電圧Ｖｒｅｆよりも低下すると、比較回路２０ｄ３がハイレベルの電圧信号を出力する。従って、発振制御信号がローレベルの電圧であっても発振制御端子２０ｂ１にはハイレベルの電圧が入力される。その結果、制御ＩＣ２０ｂはゲート駆動信号の出力を停止し、トランス２０ｃからのバックライト駆動電圧の出力も停止される。よって、バックライト駆動電圧の減電圧時に、迅速にバックライト駆動電圧の出力を停止できる。すなわち、比較回路２０ｄ３の出力するハイレベルは、制御ＩＣ２０ｂの発振制御端子に入力すると発振制御信号のハイレベルが入力されたことに相当する作用を奏する。
【００５５】
また、比較回路２０ｄ３の出力は、マイコン１６の所定の入力ポートにも入力されている。マイコン１６は、当該比較回路２０ｄ３の出力に基づいて、後述の保護処理を実行している。すなわち、比較回路２０ｄ３の出力を利用してハードウェア的にバックライト駆動電圧の出力を迅速に停止しつつ、マイコン１６がソフトウェア的にバックライト駆動電圧の出力を完全に停止させる。よって、異常な減電圧時にバックライト駆動電圧の出力を迅速・確実に停止できる。本実施形態においては、比較回路ｄ３の出力に基づいて後述の保護処理を実行するマイコン１６が保護部を構成する。
【００５６】
ところで、比較回路２０ｄ３は、制御ＩＣ２０ｂがゲート駆動信号を出力していない期間（バックライト駆動電圧が出力されていない期間、バックライト２２の不点灯期間）も、バックライト駆動電圧のピークホールド電圧Ｖｐと参照電圧Ｖｒｅｆとの比較を行っている。むろん、ピークホールド回路２０ｄ２のコンデンサＣ１や抵抗Ｒ１の定格は、この期間においてもピークホールド電圧Ｖｐが参照電圧Ｖｒｅｆよりも低くならないように設計されているが、素子のばらつきや温度低下等に起因してピークホールド電圧Ｖｐが参照電圧Ｖｒｅｆよりも低くなる可能性が否定できない。そこで、比較回路２０ｄ３と制御ＩＣ２０ｄの発振制御端子２０ｂ１との間、比較回路２０ｄ３とマイコン１６の所定の入力ポートとの間に、遮断回路２０ｄ４を備えている。
【００５７】
＜遮断回路＞
遮断回路２０ｄ４は、発振制御信号がハイレベルの電圧となる期間（制御ＩＣ２０ｂがゲート駆動信号を出力していない期間、バックライト駆動電圧が出力されていない期間、バックライト２２の不点灯期間）に比較回路２０ｄ３の出力を遮断する。
図３には、遮断回路２０ｄ４の一例を示してある。同図において、遮断回路２０ｄ４は、直列に接続されつつ一端にマイコン１６から発振制御信号を入力され他端をグランドに接続された抵抗Ｒ２１，Ｒ２２と、ベースを抵抗Ｒ２１，Ｒ２２の接続点に接続され、コレクタを比較回路２０ｄ３の出力電圧を伝送するラインに接続され、エミッタをグランドに接続されたＮＰＮ型のトランジスタＴｒ１とを備えている。
【００５８】
抵抗Ｒ２１，Ｒ２２は、発振制御信号がハイレベルの電圧になったときに抵抗Ｒ２１，Ｒ２２の接続点に発生する電圧がトランジスタＴｒ１のベースに印化して過負荷にならない電圧となるように、発振制御信号の電圧を分圧している。
【００５９】
遮断回路２０ｄ４は、発振制御信号がローレベルのときはトランジスタＴｒ１がターンオンせず、比較回路２０ｄ３の出力は、発振制御端子２０ｂ１やマイコン１６の所定の入力ポートへ入力される。一方、遮断回路２０ｄ４は、発振制御信号がハイレベルのときはトランジスタＴｒ１がターンオンし、比較回路２０ｄ３の出力ラインをグランドに引き込む。その結果、比較回路２０ｄ３の出力は、マイコン１６の所定の入力ポートへ入力されない。むろん、制御ＩＣ２０ｂの発振制御端子２０ｂ１へも入力されない。
【００６０】
よって、発振制御信号がハイレベルの電圧となる期間（制御ＩＣ２０ｂがゲート駆動信号を出力していない期間、バックライト駆動電圧が出力されていない期間、バックライト２２の不点灯期間）に比較回路２０ｄ３の出力がマイコン１６に入力されなくなる。その結果、素子のばらつきや温度低下等に起因してバックライト駆動電圧が出力されていない期間にピークホールド電圧Ｖｐが参照電圧Ｖｒｅｆよりも低くなっても、マイコン１６がこれを検知して保護動作を行うことが無くなる。よって、後述の保護処理において異常検出したか否かの判断に要する時間を大幅に短縮することが出来る。
【００６１】
（３）保護処理： 
図５は、保護処理の流れを示すフローチャートである。同図に示す保護処理は、マイコン１６が、所定時間ｔおきに繰り返し周期的に実行している。
【００６２】
処理が開始されると、比較回路２０ｄ３の出力を取得する（Ｓ１０）。
具体的には、所定のポートに入力されている電圧値を取得する。例えば、図３に示す例では、比較回路２０ｄ３の出力は、遮断回路２０ｄ４と同様の回路を経てマイコン１６の所定のポートへ入力されている。マイコン１６の所定のポートは、プルアップ抵抗等によって通常は所定電圧に維持されている。すなわち、マイコン１６の所定のポートは、比較回路２０ｄ３の出力がローレベルのときはハイレベルとなり、比較回路２０ｄ３の出力がハイレベルのときはローレベルとなる。
【００６３】
マイコン１６は、所定のポートに入力されるハイレベルとローレベルとを判別する閾値を記憶しており、ステップＳ１０で取得した電圧が当該閾値以上であれば減電圧を検出し（Ｓ１２：Ｙｅｓ）、減電圧を検出した回数をカウントするためのカウンターをインクリメントする（Ｓ１４）。一方、ステップＳ１０で取得した電圧が当該閾値未満であれば減電圧を検出せず（Ｓ１２：Ｎｏ）、カウンターのカウントをリセットする（Ｓ２０）。
【００６４】
カウンターをインクリメントすると（Ｓ１４）、カウントが所定数ｍに達したか否かを判断する（Ｓ１６）。カウントが所定数ｍに達していれば（Ｓ１６：Ｙｅｓ）保護動作を行い（Ｓ１８）、カウントが所定数ｍに達していなければ（Ｓ１６：Ｎｏ）保護動作を行わず処理を終了する。保護動作とは、バックライト駆動電圧の出力を完全に停止させるための動作であり、少なくとも、バックライト駆動回路にバックライト駆動電圧を出力させるための動作を停止すればよく、例えば発振制御信号の発振制御端子２０ｂ１に対する入力を停止することにより実現される。
【００６５】
なお、所定時間ｔは、所定数ｍとの間に以下の関係式が成立するように決定される。
【数１】
2012151022.tif 000003
前記（１）式において、所定数ｍは１以上の整数であり、ｔ０は発振制御信号の１周期の中においてバックライトを点灯させる時間である。
例えば、上述した発振制御信号のようにＰＷＭの周波数が１００〜２００Ｈｚの場合はＰＷＭの１周期が５ｍｓ〜１０ｍｓとなり、１周期の中で発振制御信号がハイレベルの電圧になる時間は数ｍｓである。ここで、仮に、ＰＷＭの１周期が５ｍｓであってオン割合が２０％とすると、ｔ０は１ｍｓとされる。
むろん、ユーザーがバックライトの輝度を調整すれば、発振制御信号の１周期の中においてバックライトを点灯させる時間も変更される。従って、ユーザーがバックライトの輝度を最小にしたときの、発振制御信号の１周期の中においてバックライトを点灯させる時間をｔ０としてもよい。
このように所定時間と所定数との関係を規定することにより、マイコン１６は、減電圧を持続的に検出した時間が発振制御信号の１周期の中においてバックライト駆動電圧を出力している時間を超えると、制御ＩＣ２０ｂに対する発振制御信号の入力を停止させる。よって、迅速・確実にバックライト駆動回路を停止することが出来る。
【００６６】
次に、図６〜図８のタイミングチャートを参照しつつ、以上説明した本実施形態の動作を説明する。
図６（１）に示すように、発振制御信号はハイレベルの電圧とローレベルの電圧が周期的に現れるＰＷＭ信号になっている。この発振制御信号が発振制御端子２０ｂ１に入力されると、制御ＩＣ２０ｂはスイッチ回路２０ａのＦＥＴのゲートに対して、図６（２）に示すゲート駆動信号を出力する。ゲート駆動信号は発振制御信号よりも高周波数のＰＷＭ信号（例えば、４０ｋＨｚ）であり、発振制御信号がローレベルのときに出力され、発振制御信号がハイレベルのときは出力されない。
【００６７】
その結果、発振制御信号がローレベルのときはバックライトが点灯され、発振制御信号がハイレベルのときはバックライトは点灯されない。液晶表示装置１００の画面輝度は、このような点灯期間と不点灯期間を繰り返しによって調整され、点灯期間の割合が多いほど画面輝度は高くなり、点灯期間の割合が少ないほど画面輝度は低くなる。すなわち、マイコン１６は、制御ＩＣ２０ｂに入力する発振制御信号のオン割合を調整することによりバックライトを所望の輝度に調整することができる。
【００６８】
ここで、図６（３）に示すように、ピークホールド回路２０ｄ２の出力は、発振制御信号がハイレベル（バックライト駆動信号が出力されていない期間）であっても、設計どおりであれば、ピークホールド回路２０ｄ２の作用によって比較回路２０ｄ３の閾値（参照電圧Ｖｒｅｆ）よりも高く維持されている。
【００６９】
このとき、発振制御信号における点灯期間内に（図７（１））ピークホールド回路２０ｄ２の出力が比較回路２０ｄ３の閾値よりも低下すると（図７（２））、ピークホールド回路２０ｄ２の出力が比較回路２０ｄ３の閾値よりも低下した瞬間に比較回路２０ｄ３の出力がハイレベルとなり（図７（３））、発振制御端子２０ｂ１にも比較回路２０ｄ３の出力するハイレベルが印加され（図７（４））、マイコン１６の所定のポートにはローレベルが入力される（図７（５））。
すると、制御ＩＣ２０ｂは、発振制御信号における点灯期間内であっても（図７（１））ゲート駆動信号の出力を停止し（図７（６））、ハードウェア的に迅速・確実にバックライト駆動電圧の出力を停止させる。その後、時間ｔ０が経過すると、マイコン１６がソフトウェア的に完全・確実にバックライト駆動電圧の出力を停止させる（図７（５））。
【００７０】
一方、発振制御信号における不点灯期間内に（図８（１））ピークホールド回路２０ｄ２の出力が比較回路２０ｄ３の閾値よりも低下すると（図８（２））、ピークホールド回路２０ｄ２の出力が比較回路２０ｄ３の閾値よりも低下した瞬間に比較回路２０ｄ３の出力がハイレベルとなるものの（図８（３））、この期間の比較回路２０ｄ３の出力は遮断回路２０ｄ４によって遮断されているためマイコン１６には入力されない（図８（４））。むろん、発振制御端子２０ｂ１にも比較回路２０ｄ３の出力は入力されず、図８（１）の発振制御信号がそのまま入力される（図８（５））。なお、制御ＩＣ２０ｂは、もともと発振制御信号における不点灯期間内であることから（図８（１））ゲート駆動信号の出力を停止している（図８（５））。よって、仮に、発振制御信号における不点灯期間内にピークホールド回路２０ｄ２の出力が素子のばらつきや低温等に起因して比較回路２０ｄ３の閾値よりも低下してハイレベルの電圧を出力したとしても、当該ハイレベルの電圧に起因する信号はマイコン１６や制御ＩＣ２０ｂには入力されない。
【００７１】
以上のように、バックライトの不点灯期間におけるマイコン１６による保護を無効化したことにより（図６（４））、実質的に異常が発生する可能性のある期間のみを保護動作を行う対象期間とすることが可能となる（図６（５））。よって、従来のように、本当に異常発生しているか否かを判断するための複数の調光周期にわたる長期の待機期間を設ける必要が無くなり、調光周期の１周期よりも遥かに短時間で保護動作を行えるようになる。
【００７２】
（４）まとめ：
以上説明した実施形態にかかるバックライト駆動回路２０ｄは、
所定端子に入力されるＰＷＭの発振制御信号がローレベルのときにトランス２０ｃのスイッチング駆動を行い、ハイレベルのときにトランス２０ｃのスイッチング駆動を停止する制御ＩＣ２０ｂと、
トランス２０ｃの出力するバックライト駆動電圧のピーク値をホールドするピークホールド回路２０ｄ２と、
当該ピーク値が所定値を下回るとハイレベルの電圧を出力する比較回路２０ｄ３と、
比較回路２０ｄ３がハイレベルの出力を所定時間（発振制御信号の１周期に含まれるローレベルの継続時間よりも短い時間（０より大））、継続すると、制御ＩＣ２０ｂに対する発振制御信号の入力を停止するマイコン１６と、
発振制御信号がローレベルとなる期間、比較回路２０ｄ３からマイコン１６への出力を遮断する遮断回路２０ｄ４と、
を備える。
よって、遮断回路２０ｄ４によってバックライトの不点灯期間における減電圧の検出を防止しつつ、減電圧が発生しているか否か判断するための時間を適切に短縮することができる。
【００７３】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００７４】
１０…映像処理部、１２…液晶駆動回路、１４…液晶パネル、１６…マイコン、１８…電源回路、２０…バックライト駆動回路、２２…バックライト、２２ａ〜２２ｄ…蛍光管、２４…操作部、１００…液晶表示装置、
２０ａ…スイッチ回路、２０ｂ…制御ＩＣ、２０ｂ１…発振制御端子、２０ｃ…トランス、２０ｃ１〜２０ｃ４…トランス、２０ｄ…減電圧検出回路、２０ｄ１…２次電圧検出回路、２０ｄ１ａ〜２０ｄ１ｄ…２次電圧検出回路、２０ｄ２…ピークホールド回路、２０ｄ２ａ〜２０ｄ２ｄ…ピークホールド回路、２０ｄ３…比較回路、２０ｄ４…遮断回路、２０ｅ…フィードバック回路、２０ｅ１〜２０ｅ４…フィードバック回路、
Ｃ１…コンデンサ、Ｄ１…ダイオード、Ｒ１…抵抗、
Ｃｏｍｐ１〜Ｃｏｍｐ４…コンパレータ、Ｄ１１〜Ｄ１４…ダイオード、Ｒ２…抵抗、Ｒ３…抵抗、
Ｒ２１…抵抗、Ｒ２２…抵抗、Ｔｒ１…トランジスタ、
Ｖｂ…電源電圧、Ｖｐ…ピークホールド電圧、Ｖｐ１〜Ｖｐ４…ピークホールド電圧、Ｖｒｅｆ…参照電圧
【図１】
2012151022.tif 000004
【図２】
2012151022.tif 000005
【図３】
2012151022.tif 000006
【図４】
2012151022.tif 000007
【図５】
2012151022.tif 000008
【図６】
2012151022.tif 000009
【図７】
2012151022.tif 000010
【図８】
2012151022.tif 000011